(57)【要約】  【課題】  正座するときの足の痺れや圧迫痛などの苦痛感を軽減することができる足袋を提供する。  【解決手段】  足袋を履いたときの、足の表面の足根骨５０の外側楔状骨５５ｃから立方骨５４を経て足根胴５６に至る範囲に対応する部分に、ウレタンフォーム等の緩衝性及び弾力性を有するクッション部材３０を装着する。【選択図】  図６
2008231601.tif 000002
【特許請求の範囲】
【請求項１】
足袋を履いたときに、足根骨の外側楔状骨から立方骨を経て足根胴に至る範囲の足の表面を覆う足袋の部分に、緩衝性及び弾力性を有するクッション部材が装着されていることを特徴とする足袋。
【請求項２】
足袋を履いたときに、足根骨の外側楔状骨から立方骨及び足根胴を経て距骨の外果面に至る範囲の足の表面を覆う足袋の部分に、緩衝性及び弾力性を有するクッション部材が装着されていることを特徴とする足袋。
【請求項３】
前記クッション部材の厚みは、座っていない無負荷のときに５ｍｍ乃至４０ｍｍの範囲であり、座って体重をかけたときに２ｍｍ乃至３０ｍｍの範囲であることを特徴とする請求項１又は２に記載の足袋。
【請求項４】
前記クッション部材の厚みは、さらに好ましくは、座っていない無負荷のときに１０ｍｍ乃至２０ｍｍの範囲であり、座って荷重をかけたときに４ｍｍ乃至１５ｍｍの範囲であることを特徴とする請求項３に記載の足袋。
【請求項５】
前記クッション部材の弾性圧縮率は、１ｃｍ2 当たり５００ｇの荷重をかけたときの厚みが２０％乃至８０％であることを特徴とする請求項１乃至４のいずれか１項に記載の足袋。
【請求項６】
前記クッション部材の弾性圧縮率は、さらに好ましくは、１ｃｍ2 当たり５００ｇの荷重をかけたときの厚みが４０％乃至６０％であることを特徴とする請求項５に記載の足袋。
【請求項７】
前記クッション部材はウレタンフォームであることを特徴とする請求項１乃至６のいずれか１項に記載の足袋。
【発明の詳細な説明】
【技術分野】
【０００１】
本発明は足袋に関し、特に正座するときの足の痺れや関節痛を緩和することができる足袋の構造に関する。
【背景技術】
【０００２】
現代の日常生活は洋風化が進み、正座の習慣は少なくなっている。そのため、日本人とはいえ外国人が正座に苦痛を感じるに等しく、正座を不得手とする人が非常に多くなっている。一方、近年は、正座を伴う茶道、華道、書道、舞踊、武道といった稽古事も盛んであり、正座の苦痛解消への要望は多い。しかしながら、一般に知られているように、正座には苦痛を伴う。一般的には正座が十分間程度以上に及ぶと、多くの人は脚部のしびれや感覚麻痺を起こし、ひどい場合は容易に立ち上がれないほどになる。しかし足を崩すことは、芸事や威儀を正す場合において非礼や阻喪にあたり思うに任せず、困難を強いられるのが現実である。そのため従来、正座用の小型腰掛などが考案されているが、これは正式の場に通用する体裁のものではなく、伝統作法の立振舞いに不都合且つ美観的にも好ましくない。
【０００３】
また、特許文献１には、和装足袋の足の上面に軟圧パッドを取り付けることにより、足にかかる体重からの痛みや痺れを軽減することが開示されている。また、特許文献２には、足袋の甲部にクッション性のあるパッドを設けることにより、足の痛みや痺れを軽減することが開示されている。
【特許文献１】特開２００２−１７３８０３号公報
【特許文献２】特開平１０−０８８４０４号公報
【発明の開示】
【発明が解決しようとする課題】
【０００４】
これら従来技術は、足の上側（甲部）に緩衝材を設けるものであり、その分だけ足の甲と床面との間に新たな厚みを介在させることになる。従って、従来技術では、足の甲の表面の痛みを緩和することは可能であるが、反面、表面が盛り上がる分、足の甲部で体重を支える支点もしくは力点としての作用を際立たせることになる。その結果、例えば、足首関節に加わる逆反りの圧力が更に強くなるなどの悪影響（逆効果）を招くことがある。従って、正座における構造的な苦痛、とりわけ血流阻害や神経圧迫からくる痺れ発生を防ぐことはできない。
【０００５】
本発明者の攻究の結果、痺れ発生の主たる要因は足首関節の逆反りにあることが判明した。また、足首関節部の逆反りは、血流阻害や神経圧迫による痺れと、足首関節そのものの痛みとをもたらす要因である。従って、正座による足の痺れを緩和するためには、足首関節部の逆反りを低減もしくは無くす必要があり、足袋におけるクッション材の装着位置もこの点を考慮して決定する必要がある。この逆反りの緩和は、足にかかる体重を支える支点の移動と密接な関係があり、この支点の移動は圧迫部分の移動でもある。そして、この支点を適正な位置へ移動させることができれば、足首関節部の逆反りを低減し、逆反りに起因する足の痺れを低減できると考えられる。
【０００６】
具体的に説明すると、正座の苦痛の原因には、足の痺れ（しびれ）と、足首（学名：ショパール関節）の関節痛と、足の圧迫痛との３つが考えられる。先ず、足の痺れは、膝関節を最小限まで屈曲させ、足首関節を限界まで逆反りさせた上に、全体重を乗せることによる神経の圧迫と脚部の血液循環が阻害されることにより発生する。また、足首の関節痛は、足首の逆反りが長時間固定的に強制されることによる関節そのものの痛みである。また、足の圧迫痛は、膝関節の屈曲に際して足の上面の甲部、すなわち楔状骨〜脛骨（向う脛）までの一連の骨の並びが、座平面（床、畳など）に強く押し付けられることによる局部的な皮膚の痛みである。このような三要素が複合して発生している。
【０００７】
また、正座の場面には、座布団の上、絨毯の上、敷物の上、畳の上、あるいは板の間に直接などの種々の場面がある。これらのうちで最も辛い状況の一つに、いわゆる甲高の足骨格の者が板やコンクリートなどの硬い床材の上で正座を行うことがある。このような場合は、甲高部分（楔状骨部分）に圧迫が集中的に加わることになって強い痛みを生じる。さらに、正座する際、甲高部分と向う脛を連接する足首関節（ショパール関節）が甲の高い分だけ強く逆反りさせられることになり、前述のとおり、痺れの発生が顕著になる。
【０００８】
また、最も楽とされる座布団上に正座する場合でも、布団の緩衝効果により、脛や足の甲（楔状骨）に生じる坐面による圧迫痛を緩和する効果は認められるものの、痺れや麻痺を軽減する効果はあまり期待することができない。その理由は、座布団上にあっても、膝関節の屈曲と足首部分の逆反りが座布団を使用しない場合と変わりなく形成されるため、そこにはやはり血流阻害や神経の圧迫が生じる。
【０００９】
本発明はこのような課題に鑑みてなされたものである。本発明の目的は、正座するときの足の痺れや圧迫痛などの苦痛感を効果的に軽減することができる足袋を提供することである。
【課題を解決するための手段】
【００１０】
本発明に係る足袋は、上記目的を達成するため、足袋を履いたときに、足根骨の外側楔状骨から立方骨を経て足根胴に至る範囲の足の表面を覆う足袋の部分に、緩衝性及び弾力性を有するクッション部材が装着されていることを特徴とする。
また、本発明に係る足袋は、足袋を履いたときに、足根骨の外側楔状骨から立方骨及び足根胴を経て距骨の外果面に至る範囲の足の表面を覆う足袋の部分に、緩衝性及び弾力性を有するクッション部材が装着されていることを特徴とする。
【発明の効果】
【００１１】
本発明によれば、正座するときの足の痺れや圧迫痛などの苦痛感を効果的に軽減することができる足袋が提供される。
【発明を実施するための最良の形態】
【００１２】
以下、図面を参照して本発明の実施形態を具体的に説明する。なお、各図面を通して同一符号は同一又は対応部分を示すものである。図１は本発明の一実施形態に係る足袋の足首部を開いて示す斜視図である。図２は図１の足袋を別の角度から見て示す斜視図である。図３は図１の足袋を履いて立ち姿勢をとったときの足の状態を示す斜視図である。図４は図３の正面図である。図５は図１の足袋を履いて座ったときの足の状態を示す側面図である。図６は足の骨格を上から見た平面図である。図７は脚及び脚の骨格の概略を前から見て示す斜視図である。
【００１３】
先ず、図６及び図７を用いて足の骨格について説明する。図６において、足の骨格は、大きく分けて、足首から指先に向かって足根骨５０、中足骨６０及び指節骨７０で構成されている。足首側の足根骨５０は、踵骨５１、踵骨隆起５１ａ、距骨５２、距骨滑車５２ａ、舟状骨５３、立方骨５４、内側楔状骨５５ａ、中間楔状骨５５ｂ、外側楔状骨５５ｃ及び足根洞５６で構成されている。そして、踵骨５１、踵骨隆起５１ａ、距骨５２、距骨滑車５２ａ及び足根洞５６と、舟状骨５３及び立方骨５４との間は、ショパール関節（横足根関節）５７で連結されている。このショパール関節５７は、足首関節を構成する主要関節部である。また、内側楔状骨５５ａ、中間楔状骨５５ｂ、外側楔状骨５５ｃ及び立方骨５４と、中足骨６０との間はリスフラン関節（足根中足関節）５８で連結されている。図７において、図６の足の骨格は、足首を形成する足根骨５０から、足首関節を介して、脚の骨格（脛骨８０及び腓骨９０）に連結されている。
【００１４】
図１〜図７において、本実施形態に係る足袋は、足袋１０を履いたときに、足根骨５０の外側楔状骨５５ｃから立方骨５４を経て足根胴５６に至る範囲の足の表面を覆う足袋１０の部分に、緩衝性及び弾力性を有するクッション部材３０が装着されているように構成される。さらに好ましくは、足袋１０を履いたときに、足根骨５０の外側楔状骨５５ｃから立方骨５４及び足根胴５６を経て距骨５２の外果面５２ｂに至る範囲の足の表面を覆う足袋１０の部分に、緩衝性及び弾力性を有するクッション部材３０が装着されているように構成される。なお、従来のパッド付きの足袋は、足の甲部Ｂにパッドを当てるものであった。図３、図４及び図６中の範囲Ｂは足の甲部を示す。これに対し、本実施形態に係る足袋では、足首関節部に対応する部分にクッション材３０が装着される。図３、図４及び図６中の範囲Ａは足首関節部を示す。
【００１５】
本実施形態に係る足袋１０は、長時間の正座における足の痺れや圧迫痛を軽減するため、足袋１０の足首部分の特定範囲、すなわち履いた人の足首関節前面の折れ曲がり部分（ショパール関節５７の中央部分）から外側くるぶし（外果面５２ｂ）付近までの足の表面に対応する範囲（外側楔状骨５５ｃから立方骨５４を経て足根洞５６付近に至る範囲）に位置決めして、ウレタンフォーム等の緩衝性及び弾力性を有するクッション部材３０を装着したものである。このクッション部材３０は、上記の範囲であれば、足袋１０の内面、外面、あるいは表地と裏地の間など、裏面と表面の間のいずれの部位に装着しても良い。
【００１６】
図８は従来の足袋を履いて正座したときの足首関節の逆反りの状態を示す模式的側面図である。図９は本発明による足袋１０を履いて正座したときの足首関節の状態を示す模式的側面図である。次に、図８及び図９を参照して、本発明による足袋を履いて正座したときのクッション材３０の効果について具体的に説明する。図８及び図９中のＳは、板、畳あるいは座布団などを含む床面を示す。先ず、従来の足袋を履いて床面Ｓ上で正座すると、図８に示すように、横足根関節（ショパール関節）５７からなる足首関節部は、その前後の接地部Ａ１、Ａ２を支点として、体重Ｗにより、二点鎖線Ｐで示すように下方へ凸になる方向の逆反り状態となる。
【００１７】
この場合、支点Ａ１は足の甲の部分となり、支点Ａ２は脛骨８０（腓骨９０）から膝の部分となる。そして、体重Ｗは、踵骨５１の部分に作用する。そこで、従来の足袋では、踵骨５１の部分に作用する体重Ｗを、その両側の支点Ａ１、Ａ２の中間領域で支持することになり、ショパール関節５７を含む足首関節部に大きな曲げモーメンが作用する状態となる。また、この逆反りにより、足の甲の骨や足首関節部の骨と床面Ｓとの間に強い圧力が作用する。このような足首関節の逆反りに伴う関節の痛み、足の甲と床面との直接圧迫による圧迫痛、さらには神経の圧迫や血流阻害による痺れなどが生じる。
【００１８】
これに対し、以上の実施形態に係る足袋１０を履いて正座する場合は、図９に示すように、従来の逆反りによる応力が加わるショパール関節を含む足首関節部をクッション部材３０により下から支えることができる。このため、従来の足袋における足の甲の部分の支点Ａ１を足首関節部（ショパール関節５７の近傍）へ移動させることができ、踵骨５１の部分に作用する体重Ｗをほぼ真下の領域になる支点Ａ１で支持する状態となる。このため、体重Ｗによって足首関節部に作用する曲げモーメントを無くすか、大幅に低減することができ、足首関節部をほとんど垂直力のみで支持できる状態となる。図９中の曲線Ｒは、図８中の逆反り曲線Ｐから逆反りが解除された状態を示す。これにより、図８で説明した足首関節部の逆反りをほとんど無くすことができ、足首関節と床面Ｓとの間に隙間が確保され、その部分をクッション部材３０で支持することになる。このように本実施形態では、ゆとりを確保するとともに逆反りを無くした足関節部をクッション部材３０で支持するため、足袋を履いて正座したときの、足首関節の関節痛や足の痺れ発生を効果的に無くすか軽減することができる。同時に、座布団と同等の圧迫痛の緩和効果も得ることができる。
【００１９】
前述したように、従来の足袋を履いて正座すると、足首関節の逆反りや足の甲の直接圧迫により、足首関節の痛み、神経及び筋肉の圧迫痛、血流阻害などが生じる。本実施形態においては、これらの三大要因を緩和するためには、僅かな厚みのクッション部材だけでもある程度の効果はある。つまり、座布団のような大きな厚みではなく、上記のような５ｍｍ乃至４０ｍｍの厚みのクッション部材を、適切な広さと形状にし、適切な範囲に装着することにより（（図１〜図５）、座布団以上の大きな緩和効果を実現することができる。座布団と決定的に違う点は、足袋の、外側楔状骨５５ｃから立方骨５４を経て足根洞５６に至る範囲に対応する足の表面を覆う部分、さらに好ましくは外側楔状骨５５ｃから立方骨５４及び足根胴５６を経て距骨５２の外果面５２ｂに至る範囲に対応する足の表面を覆う部分に、クッション材３０が装着されている。
【００２０】
かかる構成によれば、前述の逆反り応力の加わる足首関節部を下から支え、これを以て体重を受け止める片側の支点Ａ１とすることにより、同足首関節部に生じる逆反り応力が解除されることになる。これにより、足首関節にゆとりを確保することができる。なお、従来は、上記の片側の支点Ａ１が足の甲部付近となるため、もう一方の支点Ａ２である膝部との中間にあるショパール関節５７を含む足首関節部に逆反りの力が働くことになる。
【００２１】
すなわち、従来の足袋では座体重を支持する支点が足の甲の部分にあったが、本実施形態によれば、上述の位置にクッション部材３０を配するので、この支点をクッション部材３０の位置、つまり足首関節部又はその近傍の適正位置へ移動させることができる。これにより、足首関節部の逆反りを軽減して正座時の苦痛（特に足の痺れ）を有効に緩和することができる。この場合の適正位置は、足の甲部の頂上を外れた位置であって、足首の内曲がり部付近の位置に当たる。また、この位置は、クッション部材３０を装着しても外に張り出さない位置である。このため、本実施形態に係る足袋は１０、外観的にも、従来の通常着用の足袋と比べて何ら遜色のないものである。
【００２２】
このような作用効果によって、足首関節部分の神経圧迫と血流阻害を緩和させることができると同時に、クッション部材３０の緩衝効果により座布団同様の圧迫痛の緩和効果も得ることができる。つまり、ウレタンフォーム等のクッション部材３０を上記の範囲に位置決め装着することにより、最小限の大きさによって上記の緩和効果を実現することができる。また、限られた厚さのクッション材３０を足袋１０の特定領域に接合して装着するので、通常の足袋とほとんど外観が相違しない体裁で使用することができる。
【００２３】
すなわち、以上の実施形態に係る足袋１０によれば、足首関節部分（ショパール関節あるいは横足根関節）５７そのものの逆反りを緩和させる作用効果を得ることができる。それによって、足首関節の逆反り痛を緩和させる作用効果、足首関節部分の神経圧迫及び血流阻害を緩和させる作用効果、並びに足の甲が受ける楔状骨５５ａ、５５ｂ、５５ｃと床面との圧迫痛を緩和させる作用効果という３つの作用効果が得られる。このような正座の苦痛の原因となる三大要因を緩和する作用効果によって、人体の個体差はあるが、正座の苦痛を大幅に軽減することができ、通常よりも何倍もの長時間に亘る正座が可能となる。  
【００２４】
本発明者の攻究によれば、ウレタンフォーム等のクッション部材３０の厚みは、座っていない無負荷のときに５ｍｍ乃至４０ｍｍの範囲であり、座って荷重をかけたときに２ｍｍ乃至３０ｍｍの範囲である構成とすることにより、足首関節に適正な余裕を与えることで正座の苦痛を効率よく軽減することができた。さらに、クッション部材３０の厚みを、座っていない無負荷のときに１０ｍｍ乃至２０ｍｍの範囲であり、座って荷重をかけたときに４ｍｍ乃至１５ｍｍの範囲であるように選定することにより、一層効果的に正座の苦痛を大幅に低減することができた。
【００２５】
また、クッション部材３０の弾性圧縮率は、１ｃｍ2 当たり５００ｇの荷重をかけたときの厚みが２０％乃至８０％であるように選定することにより、足首関節に適正な余裕を与えることで正座の苦痛を効率よく軽減することができた。さらに、クッション部材３０の弾性圧縮率は、１ｃｍ2 当たり５００ｇの荷重をかけたときの厚みが４０％乃至６０％であるように選定することにより、一層効果的に正座の苦痛を大幅に低減することができた。
【００２６】
一般に、正座慣習の各場面においては足袋を着用することが極めて多く、足袋の開口部上辺は本実施形態で特定している痺れ防止に効果がある保護部位を覆っている。従って、本発明による足袋を実施する際は、この部位にクッション部材３０を装着する。これは、ソックスに装着しても同等の効果が得られる。これによって、足袋着用時の外観では殆ど通常の足袋と同様の体裁とすることができ、装着によって立ち振る舞いに影響を与えることも無い。従って、どのような場面に際しても非礼や不体裁に引け目を心配することなく使用することができる。
【００２７】
なお、ウレタンフォーム等のクッション部材３０は必ずしも足袋と一体化（固着、接着、縫い付け等）する必要はなく、取り外し可能に装着しても良い。例えば、マジックテープを足袋の内面の適正位置（開口部上端内側から若干中に入ったところの足の甲部）に貼り付けておき、そのマジックテープに貼着できるクッション部材とを組み合わせで使用しても良い。この場合、マジックテープを適正な位置に固着しておけば、クッション部材３０を容易に正確な位置に装着することができる。また、着脱自在となることから、クッション部材３０を外して通常の足袋としても使用できる。また、足袋自体を洗濯する場合も、クッション部材３０を取り外して従来どおりの取り扱いで洗濯することができる。
【００２８】
さらに、本発明によるクッション部材を装着する足袋は、足袋にクッション部材を固着または着脱可能に取り付ける構成に限定されるものではなく、クッション部材３０のみを素足の適正位置に貼着等で装着し、その上に足袋やソックスを着用するような態様でも使用しても良い。また、指割れ式ソックスなどの場合は、その適正位置にクッション部材３０を装着（貼着）し、これを足袋の下履きとして着用しても良い。つまり、本発明に係る足袋は、足袋にクッション部材を直接的に取り付ける構成に限定されるものではなく、クッション部材付き足首サポータ、クッション部材付き指割れソックス、裏面粘着タイプのクッション部材、あるいは紐結びタイプのクッション部材などの態様で実施することができる。
【００２９】
本実施形態に係るクッション部材を足袋に適用することにより、上述のような、足首関節部分の神経圧迫と血流阻害を緩和させる効果、足首関節（ショパール関節５７）そのものの逆反り痛を緩和させる効果、及び、足の甲が受ける楔状骨５５ａ、５５ｂ、５５ｃと床面との圧迫痛を緩和させるという作用効果を奏することができる。クッション部材３０は、このような作用効果を奏するため、発泡ウレタン等の緩衝性及び弾力性を有する材料で形成されるもの、小型の綿入れ布団の形態で形成されるもの、あるいは、空気枕の仕様を小型化して場面に応じて膨張収縮自在に使い分け可能に形成するもの、などの形態で構成することができる。
【００３０】
以上説明した実施形態によれば、足袋１０を履いたときの、足首の足関節前面の折れ曲がり部分から外側くるぶしまでの範囲、すなわち外側楔状骨５５ｃから立方骨５４を経て足根洞５６に至る範囲、さらには、該足根胴５６を経て距骨５２の外果面５２ｂに至る範囲に対応する足の表面を覆う部分に、緩衝性及び弾力性を有するクッション部材３０を装着する構成としたので、足首関節部分の神経圧迫と血流阻害を緩和させ、足首関節（ショパール関節あるいは横足根関節５７）そのものの逆反り痛を緩和させ、あるいは足の甲が受ける楔状骨と床面との圧迫痛を緩和させる作用効果が得られ、正座するときの足の痺れや圧迫痛などの苦痛感を大幅に軽減することができる足袋が提供される。
【図面の簡単な説明】
【００３１】
【図１】本発明の一実施形態に係る足袋の足首部を開いて示す斜視図である。
【図２】図１の足袋を別の角度から見て示す斜視図である。
【図３】図１の足袋を履いて立ち姿勢をとったときの足の状態を示す斜視図である。
【図４】図３の正面図である。
【図５】図１の足袋を履いて座ったときの足の状態を示す側面図である。
【図６】足の骨格を上から見た平面図である。
【図７】脚及び脚の骨格の概略を前から見て示す斜視図である。
【図８】従来の足袋を履いて正座したときの足首関節の逆反りの状態を示す模式的側面図である。
【図９】本発明による足袋を履いて正座したときの足首関節の状態を示す模式的側面図である。
【符号の説明】
【００３２】
１０    足袋
３０    クッション部材
５０    足根骨
５１    踵骨
５２    距骨
５２ｂ  外果面
５４    立方骨
５５ａ  内側楔状骨
５５ｂ  中間楔状骨
５５ｃ  外側楔状骨
５６    足根洞
５７    足首関節（ショパール関節、横足根関節）
５８    リスフラン関節（足根中足関節）
６０    中足骨
７０    指節骨
８０    脛骨（向こう脛）
９０    腓骨
【図１】
2008231601.tif 000003
【図２】
2008231601.tif 000004
【図３】
2008231601.tif 000005
【図４】
2008231601.tif 000006
【図５】
2008231601.tif 000007
【図６】
2008231601.tif 000008
【図７】
2008231601.tif 000009
【図８】
2008231601.tif 000010
【図９】
2008231601.tif 000011